(57)【要約】  少なくともハウジングと、作動装置と、医薬用物質である複数の別個の単位用量分の薬と、送出手段、少なくとも１回、好ましくは正確に１回の単位用量分の薬を一度に投与するための送出手段、好ましくはスプレーノズルと、用量分の薬の一回一回の投与の間にロックアウトインターバルを課す遅延手段とを備える、特に液体の形態でかつ手動作動によって医薬用物質を投与するためのディスペンサが開示される。
2009534071.tif 000002
【特許請求の範囲】
【請求項１】
少なくともハウジング（２）と、作動装置（３）と、医薬用物質である複数の別個の単位用量分の薬（１０）と、少なくとも１回、好ましくは正確に１回の単位用量分の薬（１０）を一度に投与するための送出手段、好ましくはスプレーノズル（４）と、用量分の薬の一回一回の投与の間にロックアウトインターバルを課すための遅延手段（７）とを備える、特に液体の形態でかつ手動作動によって医薬用物質を投与するためのディスペンサ（１）。
【請求項２】
ロックアウトインターバルが、少なくとも１時間、好ましくは少なくとも２時間続く、請求項１に記載のディスペンサ（１）。
【請求項３】
ロックアウトインターバルが、４から１８時間の範囲である、請求項２に記載のディスペンサ（１）。
【請求項４】
遅延手段（７）が、好ましくは主ばね（４１）と、ギヤトレイン（４２）と、脱進機（４３、４４）とを含む機械式タイミングシステム（７）を備える、請求項１から３のいずれか一項に記載のディスペンサ（１）。
【請求項５】
単位用量分の薬（１０）が、ストリップ（１１）によって相互連結されており、および／またはその一部である、請求項１から４のいずれか一項に記載のディスペンサ（１）。
【請求項６】
ストリップ（１１）が、可撓性であり、少なくとも１枚のフィルムまたは薄層を含み、その中にまたはその上にブリスタ（１４）が形成されており、単位用量分の薬（１０）が、ブリスタ（１４）の少なくとも一部、好ましくは各々に含まれる、請求項５に記載のディスペンサ（１）。
【請求項７】
単位用量分の薬（１０）を含むストリップ（１１）が、スプール（１２）に巻き付けられる、請求項６に記載のディスペンサ（１）。
【請求項８】
空のストリップ（１１）を巻き取るためのスプール（１３）をさらに備える、請求項７に記載のディスペンサ（１）。
【請求項９】
送出手段（４）に動作結合して順次に用量分の薬（１０）を移動させ、好ましくはストリップ（１１）を第１のスプール（１２）から別のスプール（１３）へと段階的に移動させるための輸送機構（６）を備える、請求項１から８のいずれか一項に記載のディスペンサ（１）。
【請求項１０】
機械式タイミングシステム（７）が、輸送機構（６）に連結され、機械式タイミングシステム（７）の主ばね（４１）が、ストリップ（１１）の輸送によって、および／またはストリップ（１１）の輸送中に巻かれ、ロックアウトインターバルが、作動装置（３）を作動させることによって開始される、請求項４に従属する場合の、請求項９に記載のディスペンサ（１）。
【請求項１１】
ロックアウトインターバル中、機械式タイミングシステム（７）が、輸送機構（６）をロックする、請求項１０に記載のディスペンサ（１）。
【請求項１２】
ディスペンサ（１）が、持ち運び可能で自己充足型である、請求項１から１１のいずれか一項に記載のディスペンサ（１）。
【請求項１３】
単位用量分の薬（１０）の量が、０．０２ｍｌから０．５ｍｌの範囲、好ましくは０．０５から０．２ｍｌの範囲である、請求項１から１２のいずれか一項に記載のディスペンサ（１）。
【請求項１４】
不眠症、糖尿病、および／または精神病を治療するための活性成分を少なくとも含む医薬用組成物を含む、請求項１から１３のいずれか一項に記載のディスペンサ（１）。
【請求項１５】
経口避妊薬を含む、請求項１から１４のいずれか一項に記載のディスペンサ（１）。
【請求項１６】
前記請求項５、６、および１３のいずれか一項に開示されたストリップ（１１）のすべての特徴を示し、そのように構築され、請求項１から１５のいずれか一項に記載のディスペンサ（１）において使用するよう明白に意図された、ストリップ（１１）。
【発明の詳細な説明】
【技術分野】
【０００１】
本発明は、少なくともハウジングと、作動装置と、用量分の薬の一回一回の投与の間にロックアウトインターバル、すなわち所定の時間のインターバルを課す遅延手段とを備える、特に液体の形態でかつ手動作動によって医薬用物質を投与するためのディスペンサに関する。
【背景技術】
【０００２】
上記の種類のディスペンサは、鎮痛剤または不眠症薬などの医薬用物質の自己投与を可能にする。ロックアウトインターバルは、物質の過剰投与および物資に対する依存を防ぐのを助け、また、ディスペンサを子供に対してより安全なものにする。
【０００３】
当技術分野では、そのようなディスペンサは、特に、注入システムまたは静脈内薬物投与システム（ＩＶシステム）と共に使用するように構成されている。ディスペンサのユーザフレンドリーさおよび信頼性、投薬される薬の量の正確性、ならびにロックアウトインターバルの信頼性という相反する側面が、技術的に複雑な装置および／または意図されたロックアウトインターバルにおいて追加の物質の投薬を十分に阻止しない装置を生み出す結果となる。
【０００４】
例えば、米国特許第４，８２８，５５１号明細書は、機械式／油圧式であり、リザーバ、およびリザーバから患者のＩＶシステムに用量分の薬を一回一回投薬するための患者によって作動可能なポンプを備える、患者自己管理鎮痛法（ＰＣＡ）用装置について記載している。１ストローク当りのポンプの能力は、調整可能であり得、それによって、投与される各々の用量分の薬のサイズが調節される。タイミング装置は、用量分の薬の一回一回の投薬の間に特定の時間のインターバル（ロックアウトインターバル）が経過しなければならないことを確実にする。
【０００５】
国際公開第２００５／０８９８３６号パンフレットは、患者に投与される必要がある鎮痛剤などの液体を患者に投薬するために提供される装置および方法について記載している。装置は、ハンドセットを介して針またはカニューレなどの投与手段に連結された、鎮痛剤が充填されたリザーバを含む。ハンドセットは、入口弁および排出弁、ならびに弾性の多孔性反跳構造を含む。鎮痛剤は、リザーバから入口弁を通って反跳構造の孔に流れ込み、反跳構造から排出弁を通って流れて患者に投与される。患者は、鎮痛剤の一回分の用量を投与するために反跳構造を圧縮することができ、反跳構造が解放されると、その反跳特性が液体を液体リザーバから反跳構造の孔内に引き入れ、その孔を満たす。この流れは、所定の最大量を超えないように制限されている。
【０００６】
米国特許第６，０１０，４８３号明細書は、鎮痛剤を患者に供給するための自己管理されたポンプまたは方法について記載している。鎮痛剤の注入流量は、鎮痛剤を受ける患者によって与えられた命令に応じて増加し、患者によるポンプの作動が、鎮痛剤の流量においてさらなる漸進的増加を生み出さない時間帯のロックアウトインターバルが設けられる。
【０００７】
例えば不眠症、糖尿病および／または精神病を治療するための一部の医薬用物質に関しては、注入システムを用いた投与は不必要であり、または所望ではなく、経口噴霧が好ましい投与形態である場合がある。経口噴霧はまた、錠剤よりも飲み込みやすく、すばやい生物学的利用能を示し、そのため、錠剤またはカプセル形態の薬に比べて組成物のより即時的な効果を得ることができる。
【０００８】
しかし、既存のスプレーボトルは、吸入チューブおよび／またはリザーバは空気で充填されている場合があり、それによって１回の作動ストロークですべての用量分の薬が投薬されないため、投薬される薬の量の正確性が欠如するという問題に悩まされている。また、作動装置が部分的または不十分な力で作動されると、過少な用量分の薬がもたらされる。このため、ユーザは２回以上の投薬を試み、それによって過剰な用量分の薬をもたらすことがある。
【発明の開示】
【発明が解決しようとする課題】
【０００９】
したがって、本発明の目的は、改良されたディスペンサを提供することである。
【課題を解決するための手段】
【００１０】
この目的のために、ディスペンサは、医薬用物質である複数の別個の単位用量分の薬、および少なくとも１回、好ましくは正確に１回の単位用量分の薬を一度に投与するための送出手段、好ましくはスプレーノズルを含む。
【００１１】
遅延手段は、好ましくは主ばね、ギヤトレイン、および脱進機を備える、機械式タイミングシステムを備えることが好ましい。したがって、ユーザによって作動可能であり、例えば長期保管中に放電し、ディスペンサの寿命を事実上短縮させることがある、電池などの追加の電源を必要としない、信頼性の高い、比較的低価のロックアウトタイマが提供される。機械式タイミングシステムはまた、電磁信号および／またはノイズの影響を受けない。
【００１２】
単位用量分の薬は、ストリップによって相互連結され、および／またはストリップの一部であることが好ましい。ストリップは、例えば、治療の全過程または特定の期間、すなわち１ヶ月を意図した、またはそれを示す複数の単位用量分の薬用の好都合なパッケージを提供する。
【００１３】
ディスペンサは、送出手段に動作結合して順次に単位用量分の薬を移動させ、好ましくはストリップを第１のスプールから別のスプールに段階的に移動させるための輸送機構を備えることが好ましい。このようにして、新しい単位用量分の薬が各々の投与に対して準備可能になることが保証され得る。スプールは、その上に巻き取られたストリップを格納するための好都合な比較的低ボリュームの手段を提供する。２つのスプールを設けることにより、ディスペンサ内側にストリップの充填部分および空の部分の両方を容易に含むことができる。
【００１４】
好ましい実施形態では、機械式タイミングシステムは、機械式タイミングシステムの主ばねが、ストリップの輸送によって、および／またはストリップの輸送中に巻かれ、ロックアウトインターバルが作動装置を作動させることによって開始されるように輸送機構に連結される。このように、ディスペンサのタイミングシステムは、送出手段に新たな単位用量分の薬を輸送する間、用量分の薬の投与に備えて「準備（ａｒｍ）」される。作動装置の作動によって用量分の薬を投与した後、タイマによるロックアウト期間のタイミングが開始され、その結果、新たな用量分の薬が準備可能でなくなり得るため投薬が止められる。ロックアウトインターバルが経過した後、ディスペンサは再度もう一回分の用量分の薬を投与する準備ができ、新しくサイクルを開始する。
【００１５】
ロックアウトインターバル中、機械式タイミングシステムが輸送機構をロックすることが好ましい。
【００１６】
このロックは、ロックアウトインターバルの終了前に投薬のために新たな用量分の薬を準備することを防止し、それにより、偶発的な用量分の薬の早期放出および起こり得る誤用が防止される。
【００１７】
次に、本発明は、より詳細に、また、機械式タイミングシステムを備える本発明によるディスペンサの現在好ましい実施形態を概略的に示す図を参照して説明される。
【発明を実施するための最良の形態】
【００１８】
図１は、本明細書では２つの半分のシェル２Ａおよび２Ｂをそれぞれ備えるハウジング２を含むディスペンサ１を示している。ディスペンサは、さらに、プッシュボタン形態の作動装置３、スプレーノズル４、および用量分の薬輸送ホイール５を備える。図２に概略的に示されるように、ディスペンサ１のハウジング２の内側には、用量分の薬輸送機構６およびタイミングシステムまたはタイマ７、ならびに輸送ブロッキング機構８およびタイマブロッキング機構９が配置されている。
【００１９】
用量分の薬輸送アセンブリ６は、ストリップ１１の一部である複数の単位用量分の薬１０、および第１および第２のスプール１２、１３を含み、これらのスプールにはストリップ１１が巻き付けられる。文字Ａは、スプレーノズル４の位置を示している。
【００２０】
ストリップ１１は、単位用量分の薬１０がその各々の中に含まれるブリスタ１４がその中にまたはその上に形成されているフィルムまたは薄層（ｌａｍｉｎａｔｅ）を含む可撓性ストリップである。
【００２１】
単位用量分の薬１０を含むストリップ１１の部分は、第１のスプール１２に巻き付けられ、空のストリップ１１を巻き取るための第２のスプール１３が設けられる。
【００２２】
用量分の薬輸送アセンブリ６は、単位用量分の薬１０をスプレーノズル４に動作結合して順次に移動させ、ストリップ１１を第１のスプール１２から別のスプール１３に段階的に移動させる機構を提供する。
【００２３】
スプレーノズル４は、ハウジング２の正面壁内に配置され、または形成され、図３Ｃに詳細に示されるように、渦流室１５およびノズルチャネル１６を含む。ノズル４の一部は、ディスペンサのハウジング２内に延在し、用量分の薬の空洞１７を画定する。鋭敏な突起１８が、チャネルに隣接して用量分の薬の空洞１７と渦流室１５の間に配置されている。
【００２４】
例えば経口噴霧のような用量分の薬の投与では、本明細書ではブリスタ１４に含まれる単位用量分の薬１０が、ノズル４と位置合せするように、より具体的には本実施形態では用量分の薬の空洞１７と位置合せするように移動される。プッシュボタン３を作動させることにより、プランジャ（図示せず）が、ディスペンサ１の内部で用量分の薬１０を含むブリスタ１４を用量分の薬の空洞１７内に押し出すように作動される。プランジャによってブリスタ１４上に及ぼされ、かつ本実施形態では鋭敏な突起１８によって補助された圧力により、ブリスタ１４は破裂し、用量分の薬１０の液体を渦流室１５内に放出し、ノズルチャネル１６から微細な噴霧を生じさせる。
【００２５】
単位用量分の薬の量は、通常、０．０２ｍｌから０．５ｍｌの範囲であり、好ましくは０．０５ｍｌから０．２ｍｌの範囲である。
【００２６】
図４は、用量分の薬輸送機構６、タイミングシステム７、輸送ブロッキング機構８、タイマブロッキング機構９、ならびに上記の部分に相互連結する第１および第２のギヤ１９、２０、解放レバー２１および歯車２２の実施形態の展開図を示す。歯車２２は、ストリップ１１の縁部の少なくとも一方に沿って設けられているスロット２３内に入り込む。
【００２７】
本実施形態の輸送機構およびタイマブロッキング機構８、９は、実質的に同一のものである。同様の要素は、同じ参照番号で示されており、タイマブロッキング機構９の要素は追加の接尾語「Ａ」を有する。ブロッキング機構８、９の作動は、用量分の薬の輸送を参照して以下に説明される。
【００２８】
用量分の薬輸送アセンブリは、用量分の薬輸送ホイール５、用量分の薬輸送機構６、輸送ブロッキング機構８、および歯車２２を備える。このアセンブリはさらに、用量分の薬輸送ホイール５ののこぎり状の刃の周縁と接触して弾性的に取り付けられたフラッグ２４を備える。
【００２９】
輸送ブロッキング機構８は、写真用カメラのものと類似しており、ロッキングホイール２５、レバー２６、グリッパ２７、およびハンマ２８を備える。ロッキングホイール２５のヘッドには、本明細書では底部にくぼみおよび非対称の側面が設けられる。レバー２６は、アーム２９およびポスト３０を備える。グリッパ２７は、フック３１、くぼみ３２、および後部アーム３３を備える。ハンマ２８は、フラッグ３４およびアーム３５を備える。レバー２６およびグリッパ２７は、１つのピン３６上に枢動可能に取り付けられている。レバー２６は、ばね３７によってアーム２９の方向にピン３６の周りでばね張力がかけられている。グリッパ２７は、後部アーム３３上に作用するばねアーム３８によってフック３１の方向にピン３６の周りでばね張力がかけられている。ばねアーム３８は、レバーばね３７の上端部である。ハンマ２８は、フラッグ３４の方向にばね３９によって軸（図示せず）の周りでばね張力がかけられている。
【００３０】
最初のブロックされていない状況では、レバー２６は、アーム２９がロッキングホイール２５のヘッドの下方を延び、グリッパ２７がばねアーム３８によってポスト３０に押し付けられ、フック３１がロッキングホイール２５との接触から解放され、ハンマ２８のフラッグ３４がグリッパ２７のくぼみ３２内に突出し、ハンマ２８のアーム３５が用量分の薬輸送ホイール５から解放されるように配置される。
【００３１】
新たな単位用量分の薬１０をノズル４の位置Ａに輸送するために、用量分の薬輸送ホイール５は、ストリップ１１が第２のスプール１３に巻き取られ、第１のスプール１２から巻き出されるように回転される。輸送方向は、フラッグ２４が用量分の薬輸送ホイール５ののこぎり状の歯の周縁を通過するか、係合するかによって決定される。
【００３２】
ストリップ１１の（スロット２３の）輸送作動により、歯車２２および連結されたロッキングホイール２５の回転が引き起こされる。ブロッキングホイール２５のヘッドの下部は、レバー２６のアーム２９に係合し、それにより、レバー２６は、グリッパ２７がもはやポスト３０にもたれず、ロッキングホイール２５の周縁をフック３１に当接させるようになるまでピン３６の周りを枢動する。
【００３３】
ストリップ１１に沿った隣接する用量分の薬１０間の距離は、歯車２２および連結されたロッキングホイール２５の全回転に対応し、フック３１がロッキングホイール２５のくぼみに係合することを可能にする。これにより、ハンマ２８のフラッグ３４は、くぼみ３２の縁部を通過し、グリッパ２７の側面を押さえ付け、この位置においてグリッパ２７はポスト３０に再度当接する。さらに、ハンマのアーム３５の先端部が、用量分の薬輸送ホイール５の歯に引っかかる。この位置では、ロッキングホイール２５および連結された歯車２２、ならびに用量分の薬輸送ホイール５のさらなる回転が止められ、それによってストリップ１１のさらなる輸送を停止する。
【００３４】
輸送ブロッキングは、ハンマ２８のアーム３５のくさび形状の部分に対して垂直の圧力をかけることによって外され、ハンマ２８をその軸（図示せず）の周りで枢動させる。ハンマ２８の回転により、アーム３５が用量分の薬輸送ホイール５の歯から外され、フラッグ３４をグリッパ２７のくぼみ３２に滑り込ませ、それにより、レバー２６およびグリッパ２７がばね３７によってそれらの最初のブロッキングされていない位置に枢動して戻ることが可能になる。
【００３５】
タイミングシステム７は、ロッキングホイール２５および歯車２２によって輸送機構に連結される。タイミング機構の１つの実施形態が、図５に示されており、これは、主ばね４１を有する動力ホイール４０と、複数のギヤを有するギヤトレイン４２と、脱進機ホイール４３と、アンカ４４と、バランスばね４５を有するバランスホイールとを備える。
【００３６】
主ばね４１は、動力ホイール４０の回転を引き起こす歯車２２の回転によるストリップの輸送によって巻かれる。ロッキングホイール２５Ａは、動力ホイール４０に連結され、同時に回転される。動力ホイール４０が全回転した後、タイミング機構７は、ロッキングホイール２５Ａをグリッパ２７Ａに係合させ、ハンマ２８Ａのアーム３５Ａに取り付けられたバー（図示せず）を脱進機ホイール４３の歯の間に置くことにより、タイマブロッキング機構９によってブロックされる。
【００３７】
ロックアウトインターバルは、作動装置３を作動させることによって開始される。ハンマ２８Ａのアーム３５Ａのくさび形状の部分に対して作動装置３によって垂直の圧力をかけることにより、ハンマ２８Ａがその軸（図示せず）の周りを枢動する。ハンマ２８Ａの回転が、バーを脱進機ホイール４３の歯から外し、フラッグ３４Ａをグリッパ２７Ａのくぼみ３２Ａ内に滑り込ませ、それにより、レバー２６Ａおよびグリッパ２７Ａが、ばね３７Ａによって最初のブロッキングされていない位置に枢動して戻ることが可能になる。
【００３８】
ロックアウトインターバルは、主ばね４１の巻き出しおよびタイミング機構７の他の要素の協調運動によって決定された動力ホイール４０の全回転の所要時間である。ロックアウトインターバルは、ギヤトレイン４２の歯の相対的大きさを用いて設定されてよい。使用される医薬用物質にもよるが、ロックアウトインターバルは、少なくとも１時間、好ましくは少なくとも２時間続くことが好ましい。他の好ましいロックアウトインターバルは、４から２４時間、より好ましくは４から１８時間の範囲であり、例えば１日３回、８時間ごとに投与されなければならない製剤に対しては６時間のロックアウトインターバル、あるいは１日２回、１２時間ごとに投与されなければならない製剤に対しては１０時間のロックアウトインターバルになる。２２時間のロックアウトインターバルは、１日１回投与されなければならない、不眠症薬または例えば経口避妊薬などの製剤に特に適している。
【００３９】
ロックアウトインターバル中の動力ホイール４０の全回転により、第１のギヤホイール１９を介して第２のギヤホイール２０の全回転が引き起こされる。第２のギヤホイール２０は、底部に回転勾配を有し、この回転勾配は、解放レバー２１の勾配側と当接し、回転の終了時にそれを押し下げる。次いで、解放レバー２１の下方のピンは、ハンマ２８のアーム３５のくさび形状部分を押さえ付け、ハンマ２８を枢動させ、それにより、上記で説明されたように輸送ブロッキング機構８のブロッキングが解除される。
【００４０】
要約すると、ユーザによるディスペンサ１の作動は、図６の流れ図に示されたように２つの主要な動作を含む。第１に、ユーザは用量分の薬輸送ホイール５を回転させ、それによって新たな用量分の薬１０がノズル４の前に配置され、それと同時に機械式タイミング機構７（の主ばね４１）が巻き取られる。十分に回転した後、ブロッキングシステム８および９の両方が係合される。第２に、ユーザは、作動装置３を押さえ、用量分の薬１０を投薬し、それと同時にタイマブロッキング機構９をリセットし、それによってタイミング機構７のブロッキングが解除され、ロックアウトインターバルが開始される。ロックアウトインターバルが経過した後、タイミング機構７は輸送ブロッキング機構８をリセットし、それにより、輸送機構６のブロッキングが解除され、次の用量分の薬１０を投与するためにディスペンサ１がリセットされる。
【００４１】
本発明のディスペンサは、持ち運びでき、自己充足型であり、すなわちそのタスクを実行することができる他の構成要素を必要とせず、またはＩＶシステムなどの別のシステムへの連結を必要としない。しかし、ディスペンサは、そのようなシステムに合うように構成されてもよい。
【００４２】
ディスペンサは、ヒトまたは動物の治療のための医薬用組成物と使用できるように非常に良好に適合されている。ディスペンサは、用量分の薬の一回一回の投与の間においてロックアウトインターバルが望ましい、不眠症、糖尿病、および／または精神病を治療するための活性成分を少なくとも含む医薬用組成物に使用されることが好ましい。同様に、ディスペンサは、経口避妊薬の投与に使用されてもよい。
【００４３】
本発明は、上記で説明された機械式の実施形態に制限されないが、特許請求の範囲内において複数の方法で変更されてよい。
【００４４】
例えば、異なる機械式または電気式のタイミング機構、輸送機構および／またはブロッキング機構、ならびに相互に異なるブロッキング機構が使用されてよい。
【００４５】
特定の実施形態では、好ましくは用量分の薬輸送システム内に含まれたおよび／または連結されたディスペンサには、電気式ロックアウトタイミング機構を作動するための電気エネルギーを生成するためのダイナモなどの発電機が備えられる。そのような実施形態は、作動が正しいことおよび／または十分なエネルギーが生成されていることを信号で伝えるＬＥＤなどのインジケータが設けられることが好ましい。
【００４６】
さらに、ディスペンサは、粉末、錠剤、またはカプセルをハウジング内の噴出口または簡易なオリフィスなどの送出手段から投薬するように構成されてよい。ディスペンサはまた、単位用量分の薬の静脈内投与を可能にするために、注射針と連結して提供されてもよい。
【００４７】
単位用量分の薬は、可能であれば脱着可能に、鎖のリンクとして相互連結されてもよい。同様に、１つのストリップまたは鎖に含まれる単位用量分の薬は、等しくある必要はなく、特定の治療または投薬計画もしくはその段階に対応して様々な治療薬、組成物、または濃度が、例えば避妊薬の場合ではサイクルの様々な段階に対して、同じ装置で投与されてよい。
【００４８】
ディスペンサにはまた、消費されたおよび／または装置内部に残存している用量分の薬の数を示すためのインジケータが設けられてもよい。
【図面の簡単な説明】
【００４９】
【図１】本発明によるディスペンサの斜視図である。
【図２】ハウジングの正面部が取り外された、図１のディスペンサの斜視図である。
【図３Ａ】図１および２のディスペンサの正面半分のシェルの側面図である。
【図３Ｂ】線ＩＩＩＢに沿った、図３Ａのディスペンサの正面半分のシェルの断面図である。
【図３Ｃ】図３Ｂの断面の拡大図である。
【図４】輸送機構およびロックアウトシステムの分解図である。
【図５】ディスペンサのタイミングシステムを示す図である。
【図６】ディスペンサの作動の流れ図である。
【図１】
2009534071.tif 000003
【図２】
2009534071.tif 000004
【図３Ａ】
2009534071.tif 000005
【図３Ｂ】
2009534071.tif 000006
【図３Ｃ】
2009534071.tif 000007
【図４】
2009534071.tif 000008
【図５】
2009534071.tif 000009
【図６】
2009534071.tif 000010
【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
ハウジング（２）と、作動装置（３）と、医薬用物質である複数の別個の単位用量分の薬（１０）と、少なくとも１回、好ましくは正確に１回の単位用量分の薬（１０）を一度に投与するための送出手段、好ましくはスプレーノズル（４）と、送出手段（４）に動作関連して単位用量分の薬（１０）を順次に移動させるための輸送機構（６）と、用量分の薬の一回一回の投与の間にロックアウトインターバルを課すための遅延手段とを少なくとも備える、特に液体の形態でかつ手動作動によって医薬用物質を投与するためのディスペンサ（１）であって、遅延手段が機械式タイミングシステム（７）を備え、機械式タイミングシステム（７）の主ばね（４１）が、用量分の薬（１０）の輸送によっておよび／または用量分の薬（１０）の輸送中に巻かれ、ロックアウトインターバルが作動装置（３）を作動させることによって開始されるように、機械式タイミングシステム（７）が輸送機構（６）に連結される、ディスペンサ（１）。
【請求項２】
ロックアウトインターバルが、少なくとも１時間、好ましくは少なくとも２時間続く、請求項１に記載のディスペンサ（１）。
【請求項３】
ロックアウトインターバルが、４から１８時間の範囲である、請求項２に記載のディスペンサ（１）。
【請求項４】
機械式タイミングシステム（７）が、ギヤトレイン（４２）と、脱進機（４３、４４）とを含む、請求項１から３のいずれか一項に記載のディスペンサ（１）。
【請求項５】
単位用量分の薬（１０）が、ストリップ（１１）によって相互連結されており、および／またはその一部である、請求項１から４のいずれか一項に記載のディスペンサ（１）。
【請求項６】
ストリップ（１１）が、可撓性であり、少なくとも１枚のフィルムまたは薄層を含み、その中にまたはその上にブリスタ（１４）が形成されており、単位用量分の薬（１０）が、ブリスタ（１４）の少なくとも一部、好ましくは各々に含まれる、請求項５に記載のディスペンサ（１）。
【請求項７】
単位用量分の薬（１０）を含むストリップ（１１）が、スプール（１２）に巻き付けられる、請求項６に記載のディスペンサ（１）。
【請求項８】
空のストリップ（１１）を巻き取るためのスプール（１３）をさらに備える、請求項７に記載のディスペンサ（１）。
【請求項９】
輸送機構（６）が、ストリップ（１１）を第１のスプール（１２）から別のスプール（１３）へと段階的に移動させるように構成された、請求項８に記載のディスペンサ（１）。
【請求項１０】
ロックアウトインターバル中、機械式タイミングシステム（７）が、輸送機構（６）をロックする、請求項１に記載のディスペンサ（１）。
【請求項１１】
ディスペンサ（１）が、持ち運び可能で自己充足型である、請求項１から１０のいずれか一項に記載のディスペンサ（１）。
【請求項１２】
単位用量分の薬（１０）の量が、０．０２ｍｌから０．５ｍｌの範囲、好ましくは０．０５から０．２ｍｌの範囲である、請求項１から１１のいずれか一項に記載のディスペンサ（１）。
【請求項１３】
不眠症、糖尿病、および／または精神病を治療するための活性成分を少なくとも含む医薬用組成物を含む、請求項１から１２のいずれか一項に記載のディスペンサ（１）。
【請求項１４】
経口避妊薬を含む、請求項１から１３のいずれか一項に記載のディスペンサ（１）。
【請求項１５】
送出用の液体を放出するために加圧時に破裂するように構成されたブリスタ内に含まれる液体医薬用物質の複数の別個の単位用量分の薬（１０）を含み、輸送機構と係合するようにその縁部の少なくとも一方に沿って設けられた複数のスロットを備える、請求項１から１４のいずれか一項に記載のディスペンサ（１）で使用するためのストリップ（１１）。
【請求項１６】
ストリップ上の隣接する用量分の薬間の距離が、機械式タイミングシステムのロッキングホイールの全回転に対応する、請求項１５に記載のストリップ。
【請求項１７】
さらに、ストリップが上に巻き付けられるスプールを備える、請求項１５または請求項１６に記載のストリップ。
【国際調査報告】
2009534071.tif 000011
2009534071.tif 000012